(57)【要約】【課題】建築現場に関与する各ユーザの間で建築現場に関する現場情報を共有することが可能な建築現場管理システムを提供する。【解決手段】建築現場管理システム１に、建築現場に関与するユーザに備えられたユーザ端末２と、ユーザ端末２と通信ネットワーク３を介して接続されデータベース４を有した管理サーバ５とを具備させ、管理サーバ５に、ユーザの接続を許可する接続許可手段８と、特定ユーザのみに現場情報の登録要求又は変更要求を許可する現場登録変更許可手段１５と、現場情報を入力させるための現場登録変更画面をユーザ端末２に送信する送信装置７と、現場情報をユーザ情報と関連付けてデータベース４に記憶させる現場情報登録手段１７と、ユーザのＩＤと関連付けられた現場情報からユーザ端末２に送信するための現場閲覧画面を生成する現場閲覧画面生成手段１９と、を具備させる。【選択図】図２
2015014927.tif 000002
【特許請求の範囲】
【請求項１】
建築現場の営業又は監督をする特定ユーザを含んでおり、夫々に異なるＩＤとパスワードが付与された建築現場に関与するユーザにより操作されるユーザ端末と、
該ユーザ端末と通信ネットワークを介して接続可能とされており、建築現場に携わる複数のユーザのユーザ名、ＩＤ、パスワード、メールアドレス、グループ、ユーザの担当可能な作業を示すタグ、を含むユーザ情報、及び、現場名、現場住所、現場状況、施工主名、工期、担当ユーザ、現場資料、を含む建築現場に関する現場情報を記憶可能なデータベースを有している管理サーバとを具備し、
該管理サーバは、
前記ユーザ端末からユーザの前記ＩＤ及び前記パスワードを受信すると、前記ユーザ情報と照合し、受信した前記ＩＤ及び前記パスワードと一致する前記ユーザ情報があれば接続を許可し、一致する前記ユーザ情報がなければ接続を拒否する接続許可手段と、
接続が許可された前記ユーザ端末から前記現場情報の登録要求又は変更要求を受信すると、ユーザの前記ＩＤを前記ユーザ情報と照合し、前記ＩＤと一致するユーザが、特定ユーザであれば登録要求又は変更要求を許可し、一致するユーザが特定ユーザでなければ登録要求又は変更要求を許可しない現場登録変更許可手段と、
該現場登録変更許可手段によって登録要求が許可されると、前記現場情報を入力させるための現場登録変更画面を生成し、前記現場登録変更許可手段によって変更要求が許可されると、前記データベースから抽出した該当する建築現場の前記現場情報が表示される前記現場登録変更画面を生成し、該現場登録変更画面を前記ユーザ端末に送信する現場登録変更画面送信手段と、
前記ユーザ端末から前記現場登録変更画面に入力された前記現場情報を受信すると、該現場情報を前記ユーザ情報と関連付けて前記データベースに記憶させる現場情報登録手段と、
接続が許可された前記ユーザ端末から前記現場情報の閲覧要求を受信すると、前記現場情報からユーザの前記ＩＤと関連付けられた前記現場情報を抽出して現場閲覧画面を生成し、該現場閲覧画面を前記ユーザ端末に送信する現場閲覧画面送信手段とを備えていることを特徴とする建築現場管理システム。
【請求項２】
前記管理サーバは、
接続が許可された前記ユーザ端末から前記現場情報の閲覧要求を受信すると、前記現場情報からユーザの前記ＩＤと関連付けられ且つ閲覧要求された前記現場情報に、閲覧状況を付加する閲覧状況付加手段を更に備えており、
前記現場閲覧画面送信手段は、
閲覧要求したユーザの前記ＩＤを前記ユーザ情報と照合し、前記ＩＤと一致するユーザが、特定ユーザであれば前記閲覧状況が表示される前記現場閲覧画面を生成して送信し、一致するユーザが特定ユーザでなければ前記閲覧状況が表示されない前記現場閲覧画面を生成して送信することを特徴とする請求項１に記載の建築現場管理システム。
【請求項３】
前記現場閲覧画面は、
前記ユーザ端末において、前記現場情報のうち前記現場状況を入力可能とされており、
前記管理サーバは、
前記ユーザ端末から前記現場閲覧画面に入力された前記現場状況を受信すると、前記データベース内の該当する前記現場情報に、前記現場状況を追加する現場状況追加手段を更に備えていることを特徴とする請求項１又は請求項２に記載の建築現場管理システム。
【発明の詳細な説明】
【技術分野】
【０００１】
本発明は、建築現場に関与する、営業、監督、設計者、職人、等の各ユーザ間において、通信ネットワークを介して建築現場に関する現場情報を共有するための建築現場管理システムに関する。
【背景技術】
【０００２】
住宅等の建物の建築現場では、施工主（顧客）との窓口となる営業、建築現場の監督、建物の設計をする設計者、建物の工事をする職人、等の多くの人（ユーザ）が関与している。そして、建築現場では、各ユーザが集まって、図面や工程表等に基いて作業内容や作業時期等の確認や打合わせを行うことで、作業が円滑に進められるようにしている。
【０００３】
しかしながら、建築現場に関与するユーザは、個々の所在位置が離れていたり、他の建築現場と掛け持ちしていたりすることがあるため、夫々のユーザが集まって作業内容等の確認や打合わせ等を頻繁に行うことが困難であった。そのため、作業内容等の確認が不十分になることがあった。例えば、顧客からの要望によって仕様や設計等が変更された時に、その変更内容が工事する職人に対して十分に伝わらなかった場合、間違った仕様等で工事してしまうこととなり、工事のやり直しが発生する。
【発明の概要】
【発明が解決しようとする課題】
【０００４】
そこで、本発明は上記の実情に鑑み、建築現場に関与する各ユーザの間で建築現場に関する現場情報を共有することが可能な建築現場管理システムの提供を課題とする。
【課題を解決するための手段】
【０００５】
上記の課題を解決するために、本発明に係る建築現場管理システムは、「建築現場の営業又は監督をする特定ユーザを含んでおり、夫々に異なるＩＤとパスワードが付与された建築現場に関与するユーザにより操作されるユーザ端末と、該ユーザ端末と通信ネットワークを介して接続可能とされており、建築現場に携わる複数のユーザのユーザ名、ＩＤ、パスワード、メールアドレス、グループ、ユーザの担当可能な作業を示すタグ、を含むユーザ情報、及び、現場名、現場住所、現場状況、施工主名、工期、担当ユーザ、現場資料、を含む建築現場に関する現場情報を記憶可能なデータベースを有している管理サーバとを具備し、該管理サーバは、前記ユーザ端末からユーザの前記ＩＤ及び前記パスワードを受信すると、前記ユーザ情報と照合し、受信した前記ＩＤ及び前記パスワードと一致する前記ユーザ情報があれば接続を許可し、一致する前記ユーザ情報がなければ接続を拒否する接続許可手段と、接続が許可された前記ユーザ端末から前記現場情報の登録要求又は変更要求を受信すると、ユーザの前記ＩＤを前記ユーザ情報と照合し、前記ＩＤと一致するユーザが、特定ユーザであれば登録要求又は変更要求を許可し、一致するユーザが特定ユーザでなければ登録要求又は変更要求を許可しない現場登録変更許可手段と、該現場登録変更許可手段によって登録要求が許可されると、前記現場情報を入力させるための現場登録変更画面を生成し、前記現場登録変更許可手段によって変更要求が許可されると、前記データベースから抽出した該当する建築現場の前記現場情報が表示される前記現場登録変更画面を生成し、該現場登録変更画面を前記ユーザ端末に送信する現場登録変更画面送信手段と、前記ユーザ端末から前記現場登録変更画面に入力された前記現場情報を受信すると、該現場情報を前記ユーザ情報と関連付けて前記データベースに記憶させる現場情報登録手段と、接続が許可された前記ユーザ端末から前記現場情報の閲覧要求を受信すると、前記現場情報からユーザの前記ＩＤと関連付けられた前記現場情報を抽出して現場閲覧画面を生成し、該現場閲覧画面を前記ユーザ端末に送信する現場閲覧画面送信手段とを備えている」ことを特徴とする。
【０００６】
ここで、「ユーザ」としては、営業、監督、設計者、各工程での職人（大工、左官、配管工、屋根葺工、内装工、外装工、電気工、など）、経理、等を例示することができる。
【０００７】
また、「ユーザ情報」の「グループ」としては、「ユーザの所属する工務店等の会社」、「ユーザの所属する部署」、等を例示することができる。また、「タグ」とは、ユーザの担当可能な作業を示すものであり、アルミ施工、インテリア、カーテン、キッチン、クロス。コーキング、サイディング、サッシ、バスリフォーム、メーカー、リペア、仮設トイレ、内装下地、処分（ゴミ）、営業、大工、施工管理、管理、経理、設計、問屋、土木、地盤改良、基礎、塗装・ペンキ、外構・造園、家具・木工屋、左官、建具（畳・襖など）、板金、水道、瓦、白アリ、美装、解体、設備、足場、防水、電気、その他、等があり、複数設定（選択）することができる。
【０００８】
また、「現場情報」の「現場状況」としては、現場の状況が判る情報であれば良く、「文字（テキスト）」、「画像」、「音声」、「動画」、等による情報を例示することができる。また、「現場資料」としては、「見積書」、「図面」、「工程表」、等を例示することができる。
【０００９】
更に、「閲覧要求」としては、閲覧要求したユーザの関係する全て（複数）の現場情報としても良いし、閲覧要求したユーザの関係する全ての現場情報のうちの一部の現場情報としても良い。また、「閲覧要求」では、現場情報に含まれる全ての情報の閲覧要求であっても良いし、現場情報に含まれる一部の情報（例えば、現場名、現場状況、工期、等、或いは、現場資料内の見積書、図面、等）の閲覧要求であっても良い。
【００１０】
本発明の建築現場管理システムは、建築現場に関与するユーザが、ユーザ端末から付与されているＩＤ及びパスワードを管理サーバに送信することで、管理サーバに接続することができる。管理サーバに接続したユーザ端末のユーザのうち、営業や監督等の特定ユーザが、ユーザ端末から建築現場に関する現場情報の登録要求又は変更要求を管理サーバに送信すると、管理サーバにおいて登録要求又は変更要求が許可される。そして、管理サーバから現場登録変更画面が送信されて、ユーザ端末に現場登録変更画面が表示される。このユーザ端末に表示された現場登録変更画面に基いて、必要な現場情報を入力する。現場登録変更画面において、現場情報における担当ユーザの項目では、各工程毎に管理サーバのデータベースにユーザ情報が記憶されているユーザを入力する。ユーザ端末において、現場登録変更画面に入力した現場情報を、管理サーバに送信することで、データベースに現場情報を登録することができる。この際に、現場情報内の担当ユーザの情報に基いて、現場情報にユーザ情報を関連付けて、現場情報をデータベースに記憶させる。
【００１１】
特定ユーザが現場情報の変更要求をした場合は、前回入力した現場情報が現場登録変更画面に予め入力された状態でユーザ端末に表示される。そして、ユーザ端末から現場登録変更画面に入力した現場情報を管理サーバに送信すると、管理サーバでは上述と同様に、ユーザ情報を関連付けた現場情報を、前回入力した現場情報を上書きするように記憶させる。
【００１２】
一方、特定ユーザ以外のユーザ（以下、一般ユーザとも称する）が、ユーザ端末から現場情報の登録要求又は変更要求を管理サーバに送信すると、管理サーバでは登録要求や変更要求が許可されず、建築現場の現場情報を登録したり変更したりすることができない。
【００１３】
また、ユーザ端末からユーザが現場情報の閲覧要求を管理サーバに送信すると、管理サーバでは接続したユーザのＩＤを含んだ現場情報をデータベースから抽出して現場閲覧画面を生成し、ユーザ端末に現場閲覧画面が表示される。
【００１４】
このように、本発明によれば、ユーザがユーザ端末から管理サーバに接続して、建築現場の現場情報の閲覧要求を送信すると、現場情報からなる現場閲覧画面がユーザ端末に表示されるため、当該建築現場に関係するユーザ同士で通信ネットワークを介して現場情報を共有することができる。従って、ユーザ同士が離れていても通信ネットワークを介して現場情報を共有することができるため、従来のようにユーザ同士が集まって確認や打合わせをする回数を低減させることができ、打合わせ等による手間（コスト）を少なくすることができる。
【００１５】
また、ユーザ端末では、当該ユーザの関係する建築現場の現場情報のみからなる現場閲覧画面が表示されるため、関係のない建築現場の現場情報が表示されることがない。そのため、仕様や設計等を間違え難くいものとなり、工事を正確に行わせることができると共に、工事の間違いを低減させることができ、工事の間違いによるコストの上昇を減らすことができる。
【００１６】
本発明に係る建築現場管理システムは、上記の構成に加えて、「前記管理サーバは、接続が許可された前記ユーザ端末から前記現場情報の閲覧要求を受信すると、前記現場情報からユーザの前記ＩＤと関連付けられ且つ閲覧要求された前記現場情報に、閲覧状況を付加する閲覧状況付加手段を更に備えており、前記現場閲覧画面送信手段は、閲覧要求したユーザの前記ＩＤを前記ユーザ情報と照合し、前記ＩＤと一致するユーザが、特定ユーザであれば前記閲覧状況が表示される前記現場閲覧画面を生成して送信し、一致するユーザが特定ユーザでなければ前記閲覧状況が表示されない前記現場閲覧画面を生成して送信する」ことを特徴としても良い。
【００１７】
ここで、「閲覧状況」とは、「現場閲覧画面を見たか否か」、「現場閲覧画面内の現場情報を見たか否か」、「現場資料内の見積書や図面を見た（ダウンロードしたか又は印刷したか）か否か」、等を例示することができる。
【００１８】
本発明によれば、ユーザ端末からユーザが現場情報の閲覧要求を送信すると、管理サーバではユーザのＩＤと関連付けられ且つ閲覧要求された現場情報に、閲覧状況を付加してデータベースに記憶させる。この現場情報に付加された閲覧状況は、特定ユーザであれば現場閲覧画面に表示され、一般ユーザであれば現場閲覧画面に表示されない。これにより、特定ユーザは、当該建築現場に関係している一般ユーザが、当該建築現場の現場情報を見たか否かを把握することができる。従って、例えば、仕様や設計の変更に伴って現場情報が変更された後に、変更された現場情報を閲覧していないユーザを発見した場合、そのユーザに対して、変更された現場情報を閲覧するように指示することができ、確実に現場情報を共有させることができる。
【００１９】
本発明に係る建築現場管理システムは、上記の構成に加えて、「前記現場閲覧画面は、前記ユーザ端末において、前記現場情報のうち前記現場状況を入力可能とされており、前記管理サーバは、前記ユーザ端末から前記現場閲覧画面に入力された前記現場状況を受信すると、前記データベース内の該当する前記現場情報に、前記現場状況を追加する現場状況追加手段を更に備えている」ことを特徴としても良い。
【００２０】
本発明によれば、ユーザ端末に表示された現場閲覧画面の現場状況に、現場状況を入力して管理サーバに送信すると、その現場状況を該当する現場情報に追加することができる。従って、例えば、一般ユーザがその日の作業の終了後に、現場閲覧画面からその日の現場状況を現場情報に追加した後に、他のユーザが該当する現場情報の閲覧要求を行って現場閲覧画面を見ることで、その日の現場状況（進捗状況）を見る（把握する）ことができ、関係する各ユーザの間で工程の進み具合等を共有することができる。
【発明の効果】
【００２１】
このように、本発明によれば、建築現場に関与する各ユーザの間で建築現場に関する現場情報を共有することが可能な建築現場管理システムを提供できる。
【図面の簡単な説明】
【００２２】
【図１】本発明の一実施形態である建築現場管理システムを示す構成図である。
【図２】建築現場管理システムにおける管理サーバの機能的構成を示すブロック図である。
【図３】管理サーバへの接続許可処理を示すフローチャートである。
【図４】ユーザ登録変更処理を示すフローチャートである。
【図５】ユーザ端末でのユーザ登録変更画面を示す説明図である。
【図６】現場登録変更処理を示すフローチャートである。
【図７】現場登録変更画面を示す説明図である。
【図８】現場情報閲覧処理を示すフローチャートである。
【図９】現場閲覧画面を示す説明図である。
【図１０】ダウンロード処理を示すフローチャートである。
【図１１】現場状況追加処理を示すフローチャートである。
【発明を実施するための形態】
【００２３】
本発明の一実施形態である建築現場管理システム１について、図１乃至図９を参照して詳細に説明する。本実施形態の建築現場管理システム１は、図１及び図２に示すように、建築現場の営業又は監督をする特定ユーザを含んでおり、夫々に異なるＩＤとパスワードが付与された建築現場に関与するユーザに、備えられているユーザ端末２と、ユーザ端末２と通信ネットワーク３を介して接続可能とされており、建築現場に携わる複数のユーザのユーザ名、ＩＤ、パスワード、メールアドレス、グループ、タグ、を含むユーザ情報４ａ、及び、現場名、現場住所、現場状況、施工主名、工期、担当ユーザ、現場資料、を含む建築現場に関する現場情報４ｂを記憶可能なデータベース４を有している管理サーバ５と、を具備している。
【００２４】
ユーザ端末２は、詳細な図示は省略するが、ＣＰＵ（中央演算装置）と、ＣＰＵで演算処理を行うためのプログラムや基本データ等が記憶されたＲＯＭと、演算処理による一時的な情報等を記憶するＲＡＭと、演算結果等の各種の情報を記憶するＨＤＤ等の記憶装置と、ＣＰＵへのプログラムの実行等を指示するための入力装置、演算処理結果等を出力するディスプレイ或はプリンタ等の出力装置、通信ネットワーク３に接続するための通信装置（モデム）、等を備えている。本実施形態のユーザ端末２は、携帯可能なスマートフォン又はタブレット型の端末である。
【００２５】
管理サーバ５は、詳細な図示は省略するが、ＣＰＵと、ＣＰＵで演算処理を行うためのプログラムや基本データ等が記憶されたＲＯＭと、演算処理による一時的な情報等を記憶するＲＡＭと、演算結果等の各種の情報を記憶するＨＤＤ等の記憶装置と、ＣＰＵへのプログラムの実行等を指示するためのキーボードやマウス等の入力装置、演算処理結果等を出力するディスプレイやプリンタ等の出力装置、通信ネットワーク３に接続するための通信装置（受信装置６及び送信装置７）、等を備えている。本実施形態の管理サーバ５は、汎用のＰＣ（パーソナルコンピュータ）である。
【００２６】
この管理サーバ５の記憶装置内にデータベース４が構築されている。また、データベース４には、ユーザの所属するグループ（工務店、事務所、職種、等）に関するグループ情報４ｃが記憶可能とされている。
【００２７】
管理サーバ５は、ＣＰＵにおいて管理プログラムを実行することによって、以下のような機能的構成を備えている。詳述すると、管理サーバ５は、受信装置６においてユーザ端末２からユーザのＩＤ及びパスワードを受信すると、データベース４内のユーザ情報４ａと受信したＩＤ及びパスワードとを照合して、一致するユーザ情報４ａがあれば接続を許可し、一致するユーザ情報４ａがなければ接続を拒否する接続許可手段８を備えている。
【００２８】
また、管理サーバ５は、接続が許可されたユーザ端末２から受信装置６を介してユーザの登録要求又は変更要求を受信すると、ユーザのＩＤをデータベース４内のユーザ情報４ａと照合して、ＩＤと一致するユーザが、特定ユーザであれば登録要求又は変更要求を許可し、一致するユーザが特定ユーザでなければ登録要求又は変更要求を許可しないユーザ登録変更許可手段９と、ユーザ登録変更許可手段９によって登録要求が許可されると、ユーザ情報４ａを入力させるためのユーザ登録変更画面（図５を参照）を生成し、ユーザ登録変更許可手段９によって変更要求が許可されると、データベース４から抽出した該当するユーザのユーザ情報４ａを入力したユーザ登録変更画面を生成するユーザ登録画面生成手段１０と、を備えている。
【００２９】
また、管理サーバ５は、接続が許可されたユーザ端末２から受信装置６を介してユーザの所属するグループに関するグループ情報４ｃの登録要求又は変更要求を受信すると、ユーザのＩＤをデータベース４内のユーザ情報４ａと照合して、ＩＤと一致するユーザが、特定ユーザであれば登録要求又は変更要求を許可し、一致するユーザが特定ユーザでなければ登録要求又は変更要求を許可しないグループ登録変更許可手段１１と、グループ登録変更許可手段１１によって登録要求が許可されると、グループ情報４ｃを入力させるためのグループ登録変更画面（図示は省略）を生成し、グループ登録変更許可手段１１によって変更要求が許可されると、データベース４から抽出した該当するグループ情報４ｃを入力したグループ登録変更画面を生成するグループ登録変更画面生成手段１２と、を備えている。
【００３０】
更に、管理サーバ５は、ユーザ端末２から受信装置６を介してユーザ登録変更画面に入力されたユーザ情報４ａを受信すると、ユーザ情報４ａをデータベース４に記憶させるユーザ情報登録手段１３と、ユーザ端末２から受信装置６を介してグループ登録変更画面に入力されたグループ情報４ｃを受信すると、グループ情報４ｃをユーザ情報４ａと相互に関連付けてデータベース４に記憶させるグループ情報登録手段１４と、を備えている。
【００３１】
また、管理サーバ５は、接続が許可されたユーザ端末２から受信装置６を介して建築現場に関する現場情報４ｂの登録要求又は変更要求を受信すると、ユーザのＩＤをデータベース４内のユーザ情報４ａと照合して、ＩＤと一致するユーザが、特定ユーザであれば登録要求又は変更要求を許可し、一致するユーザが特定ユーザでなければ登録要求又は変更要求を許可しない現場登録変更許可手段１５と、現場登録変更許可手段１５によって登録要求が許可されると、現場情報４ｂを入力させるための現場登録変更画面（図７を参照）を生成し、現場登録変更許可手段１５によって変更要求が許可されると、データベース４から抽出した該当する建築現場の現場情報４ｂが入力欄に表示される現場登録変更画面を生成する現場登録変更画面生成手段１６と、ユーザ端末２から受信装置６を介して現場登録変更画面に入力された現場情報４ｂを受信すると、現場情報４ｂをユーザ情報４ａと関連付けてデータベース４に記憶させる現場情報登録手段１７と、を備えている。
【００３２】
更に、管理サーバ５は、接続が許可されたユーザ端末２から受信装置６を介して現場情報４ｂの閲覧要求を受信すると、データベース４内のユーザのＩＤと関連付けられている閲覧要求された現場情報４ｂに、閲覧状況４ｄを付加する閲覧状況付加手段１８と、現場情報４ｂの閲覧要求を受信すると、データベース４内の現場情報４ｂからユーザのＩＤと関連付けられた現場情報４ｂを抽出した上で、閲覧要求したユーザが、特定ユーザであれば閲覧状況４ｄが表示される現場閲覧画面（図９を参照）を生成し、特定ユーザでなければ（一般ユーザであれば）閲覧状況４ｄが表示されない現場閲覧画面を生成する現場閲覧画面生成手段１９と、を備えている。
【００３３】
また、管理サーバ５は、ユーザ端末２から受信装置６を介して現場閲覧画面に入力された現場状況４ｅを受信すると、データベース４内の該当する現場情報４ｂに、現場状況４ｅを追加する現場状況追加手段２０と、現場情報登録手段１７によってデータベース４に記憶される現場情報４ｂにおいて、担当ユーザ４ｆが新たに登録又は変更されると、担当ユーザ４ｆのメールアドレスをユーザ情報４ａから抽出し、当該担当ユーザ４ｆ宛のメールを生成するメール生成手段２１と、を備えている。
【００３４】
この管理サーバ５では、ユーザ登録変更画面生成手段１０で生成されたユーザ登録変更画面、グループ登録変更画面生成手段１２で生成されたグループ登録変更画面、現場登録変更画面生成手段１６で生成された現場登録変更画面、現場閲覧画面生成手段１９で生成された現場閲覧画面、及び、メール生成手段２１で生成されたメールが、夫々送信装置７によって通信ネットワーク３を介してユーザ端末２へ送信される。従って、本実施形態の現場登録変更画面生成手段１６と送信装置７は本発明の現場登録変更画面送信手段に相当しており、現場閲覧画面生成手段１９と送信装置７は本発明の現場閲覧画面送信手段に相当している。
【００３５】
続いて、管理サーバ５における主な処理内容について説明する。まず、接続許可手段８による接続許可処理について図３を参照して説明する。接続許可処理では、通信ネットワーク３を介して管理サーバ５に接続しようとするユーザ端末２に対して、ＩＤ及びパスワードの入力を求めるＩＤ入力画面（図示は省略）を送信する。そして、ユーザ端末２からＩＤ入力画面に入力されたＩＤとパスワードを受信するまで待機する（ステップＳ１０１においてＮＯ）。その後、ユーザ端末２からのＩＤ及びパスワードを受信する（ステップＳ１０１においてＹＥＳ）と、次のステップＳ１０２において、データベース４のユーザ情報４ａに、受信したユーザのＩＤとパスワードと一致するユーザ情報４ａがある（ステップＳ１０２においてＹＥＳ）場合は接続を許可し、一致するユーザ情報４ａがない（ステップＳ１０２においてＮＯ）場合は接続を拒否する。これにより、本建築現場管理システム１に登録されているユーザのみが管理サーバ５に接続することができる。また、管理サーバ５では、一定時間ユーザ端末２からの受信（アクセス）がない場合、そのユーザ端末２との接続を切断する。
【００３６】
次に、図示は省略するが、接続許可処理において接続が許可されると、管理サーバ５から、ユーザ情報４ａの登録要求、ユーザ情報４ａの変更要求、現場情報４ｂの登録要求、現場情報４ｂの変更要求、グルーブ情報４ｃの登録要求、グループ情報４ｃの変更要求、現場情報４ｂの閲覧要求、その他の要求、等の要求を行うための要求画面がユーザ端末２に送信される。そして、ユーザ端末２では、要求画面における各要求項目をクリックすることで、要求内容を管理サーバ５へ送信することができる。なお、ユーザ端末２では、要求画面における変更要求の欄をクリックすると、データベース４に記憶されているユーザ名、建築現場名、グループ名、等が一覧で表示され、その中から変更要求するユーザ情報４ａ、現場情報４ｂ、グルーブ情報４ｃ、等を選択する。
【００３７】
次に、ユーザ登録変更許可手段９、ユーザ登録変更画面生成手段１０、ユーザ情報登録手段１３、メール生成手段２１、及び送信装置７によるユーザ情報登録変更処理について図４及び図５を参照して説明する。ユーザ情報登録変更処理では、接続許可処理において接続を許可されたユーザ端末２からユーザ情報４ａの登録要求又は変更要求を受信するまで待機している（ステップＳ２０１）。そして、ユーザ端末２からのユーザ情報４ａの登録要求又は変更要求を受信する（ステップＳ２０１においてＹＥＳ）と、接続したユーザのＩＤとデータベース４のユーザ情報４ａとを照合して、接続したユーザが特定ユーザであるか否かを判別する（ステップＳ２０２）。ユーザ情報４ａには、ユーザの階級を示す「権限」の項目が含まれており、接続したユーザのＩＤと一致するＩＤのユーザ情報４ａの権限によって、ユーザが特定ユーザであるか否かを判別する。
【００３８】
接続したユーザが特定ユーザであれば（ステップＳ２０２においてＹＥＳ）、ユーザ情報４ａの登録要求であるか否かの判別を行う（ステップＳ２０３）。一方、接続したユーザが特定ユーザでなければ（ステップＳ２０２においてＮＯ）、ユーザ情報４ａの登録要求又は変更要求を不許可としてユーザ情報登録変更処理を終了する。従って、特定ユーザ（管理者を含む）以外は、ユーザ情報４ａの登録や変更を行うことができない。
【００３９】
そして、ユーザ情報４ａの登録要求であれば（ステップＳ２０３においてＹＥＳ）、ユーザ情報４ａが入力されていないユーザ登録変更画面を生成する（ステップＳ２０４）。一方、ユーザ情報４ａの登録要求でなければ（ステップＳ２０３においてＮＯ）、変更要求であるとして、データベース４から該当するユーザのユーザ情報４ａを抽出し（ステップＳ２０５）、そのユーザ情報４ａが入力欄に表示されたユーザ登録変更画面を生成する（ステップＳ２０４）。そして、生成されたユーザ登録変更画面をユーザ端末２に送信し（ステップＳ２０６）、ユーザ端末２からのユーザ登録変更画面に基いたユーザ情報４ａを受信するまで待機する（ステップＳ２０７）。
【００４０】
管理サーバ５からユーザ登録変更画面が送信されたユーザ端末２では、図５に示すようなユーザ登録変更画面が表示される（図５は登録要求の時のユーザ登録変更画面である）。このユーザ登録変更画面では、ユーザの権限（管理者、特定ユーザ、一般ユーザ、の何れか）、グループ、等を入力する。グループの入力欄の右端をクリックすることで、データベース４に記憶されているグループ情報４ｃのグループ名が一覧で表示され、その中から選択することでグループを入力することができる。また、タグの欄は、ユーザの職種や技能等に応じて複数選択することができる。更に、ユーザ登録変更画面において、ユーザを参加させる建築現場を選択（指定）することができる。なお、ユーザ情報４ａの変更要求の場合は、ユーザ登録変更画面の各欄に、データベース４に記憶されているユーザ情報４ａが予め入力された状態で表示される。そして、ユーザ登録変更画面の各欄に必要な情報を入力した後に、画面下部の「登録する」ボタンをクリックすることで、ユーザ端末２から管理サーバ５へユーザ情報４ａが送信される。
【００４１】
そして、管理サーバ５では、ユーザ端末２からユーザ情報４ａを受信する（ステップＳ２０７においてＹＥＳ）と、受信したユーザ情報４ａをデータベース４に記憶させる（ステップＳ２０８）。その後、ユーザ情報４ａのメールアドレスに対して、ユーザ情報４ａを登録又は変更した旨のメールを生成して送信する（ステップＳ２０９）ことで、ユーザ情報登録変更処理が完了する。なお、ユーザを登録した場合は、ユーザ宛のメールに、ユーザのＩＤ及びパスワードが記載される。
【００４２】
次に、現場登録変更許可手段１５、現場登録変更画面生成手段１６、現場情報登録手段１７、メール生成手段２１、及び送信装置７による現場情報登録変更処理について、図６及び図７を参照して説明する。現場情報登録変更処理では、接続許可処理において接続を許可されたユーザ端末２から現場情報４ｂの登録要求又は変更要求を受信するまで待機している（ステップＳ３０１）。そして、ユーザ端末２からの現場情報４ｂの登録要求又は変更要求を受信する（ステップＳ３０１においてＹＥＳ）と、接続したユーザのＩＤとデータベース４のユーザ情報４ａとを照合して、接続したユーザが特定ユーザであるか否かを判別する（ステップＳ３０２）。
【００４３】
接続したユーザが特定ユーザであれば（ステップＳ３０２においてＹＥＳ）、現場情報４ｂの登録要求であるか否かの判別を行う（ステップＳ３０３）。一方、接続したユーザが特定ユーザでなければ（ステップＳ３０２においてＮＯ）、現場情報４ｂの登録要求又は変更要求を不許可として現場情報登録変更処理を終了する。従って、特定ユーザ（管理者を含む）以外は、現場情報４ｂの登録や変更を行うことができない。
【００４４】
そして、現場情報４ｂの登録要求であれば（ステップＳ３０３においてＹＥＳ）、現場情報４ｂが入力されていない現場登録変更画面を生成する（ステップＳ３０４）。一方、現場情報４ｂの登録要求でなければ（ステップＳ３０３においてＮＯ）、変更要求であるとして、データベース４から該当する建築現場の現場情報４ｂを抽出し（ステップＳ３０５）、その現場情報４ｂが入力欄に表示された現場登録変更画面を生成する（ステップＳ３０４）。そして、生成された現場登録変更画面をユーザ端末２に送信し（ステップＳ３０６）、ユーザ端末２からの現場登録変更画面に基いた現場情報４ｂを受信するまで待機する（ステップＳ３０７）。
【００４５】
管理サーバ５から現場登録変更画面が送信されたユーザ端末２では、図７に示すような現場登録変更画面が表示される（図７は登録要求の時の現場登録変更画面である）。この現場登録変更画面では、現場名、お客様情報、現場管理担当者（担当ユーザ４ｆ）、参加ユーザ（担当ユーザ４ｆ）、現場資料４、お知らせ、等を入力する。現場管理担当者の担当者の欄では、入力来の右端をクリックすると、データベース４に記憶されているユーザ情報４ａにおいて特定ユーザの一覧が表示され、その中から選択することで担当者（特定ユーザ）を入力することができる。また、参加ユーザでは、「グループ  タグ」の下側にデータベース４に記憶されているグループ情報４ｃの各グループ名が一覧で表示されており、一つのグループ名を選択すると、「グループ  タグ」の右側の「所属メンバー」に選択したグループに所属するユーザの一覧が表示される。そして、表示された「所属メンバー」の中からユーザを選択して右側の「この現場のメンバー」に表示させることで、当該建築現場での参加ユーザを設定することができる。なお、現場情報４ｂの変更要求の場合は、現場登録変更画面の各欄に、データベース４に記憶されている現場情報４ｂが予め入力された状態で表示される。そして、現場登録変更画面の各欄に必要な情報を入力した後に、画面下部の「登録する」ボタンをクリックすることで、ユーザ端末２から管理サーバ５へ現場情報４ｂが送信される。
【００４６】
そして、管理サーバ５では、ユーザ端末２から現場情報４ｂを受信する（ステップＳ３０７においてＹＥＳ）と、受信した現場情報４ｂをユーザ情報４ａと関連付けてデータベース４に記憶させる（ステップＳ３０８）。ユーザ情報４ａの「参加させる現場」に、ユーザ端末２から入力された現場情報４ｂの参加ユーザが反映される。
【００４７】
その後、登録した現場情報４ｂの中で、担当ユーザ４ｆ（現場管理担当者、及び、参加ユーザ）の登録又は変更がある場合（ステップＳ３０９においてＹＥＳ）は、データベース４のユーザ情報４ａから該当するユーザのメールアドレスを抽出（ステップＳ３１０）し、そのメールアドレス宛てに担当現場の決定や変更等を案内するメールを送信して（ステップＳ３１１）現場情報登録変更処理が完了する。一方、登録した現場情報４ｂの中で、担当ユーザ４ｆの登録又は変更がない場合（ステップＳ３０９においてＮＯ）は、メールを送信することなく現場情報登録変更処理が完了する。
【００４８】
次に、現場閲覧画面生成手段１９、閲覧状況付加手段１８、及び送信装置７による現場情報閲覧処理について図８及び図９を参照して説明する。現場情報閲覧処理では、接続許可処理において接続を許可されたユーザ端末２から現場情報４ｂの閲覧要求を受信するまで待機している（ステップＳ４０１）。ユーザ端末２から現場情報４ｂの閲覧要求を受信すると（ステップＳ４０１においてＹＥＳ）、接続したユーザのＩＤを含んだ現場情報４ｂをデータベース４から抽出する（ステップＳ４０２）。続いて、接続したユーザが特定ユーザであるか否かを判別し（ステップＳ４０３）、特定ユーザであれば（ステップＳ４０３においてＹＥＳ）、抽出した現場情報４ｂを基に現場閲覧画面を生成する（ステップＳ４０４）。一方、接続したユーザが特定ユーザでなければ（ステップＳ４０３においてＮＯ）、抽出した現場情報４ｂから現場状況４ｄを削除して（ステップＳ４０５）、現場閲覧画面を生成する（ステップＳ４０４）。
【００４９】
そして、生成された現場閲覧画面をユーザ端末２に送信し（ステップＳ４０６）、データベース４の該当する現場情報４ｂに閲覧状況４ｄを付加して現場情報閲覧処理が終了する。これにより、特定ユーザが接続したユーザ端末２には、閲覧状況４ｄを含む現場情報４ｂの全ての情報を有した現場閲覧画面（図９を参照）が表示される。本実施形態では、閲覧状況４ｄとして、現場資料の欄に表示されたファイルを「ダウンロード」又は「印刷」したユーザの氏名が表示される。
【００５０】
一方、一般ユーザが接続したユーザ端末２には、現場情報４ｂから閲覧状況を除いた現場閲覧画面が表示される。この現場閲覧画面では、当該ユーザが複数の建築現場に参加している場合は、各建築現場（現場情報４ｂ）ごとにページが異なる複数ページの現場閲覧画面が表示される。また、現場閲覧画面の「お客様情報」の欄には、現場情報４ｂの現場の住所に基いて、通信ネットワーク３上の地図サイトの地図が表示される。この地図を見ることで、建築現場へ簡単に行くことができる。
【００５１】
次に、ダウンロード処理について図９及び図１０を参照して説明する。図９に示すように、ユーザ端末２に表示された現場閲覧画面において、「現場資料」の欄には、現場情報４ｂに登録されている図面、見積書、写真、等の現場資料が一覧で表示されており、現場資料ごとに「ダウンロード」のボタンが表示されている。管理サーバ２では、現場情報閲覧処理が終了すると、ダウンロード処理が開始され、ユーザ端末２から現場資料のダウンロード要求を受信するまで待機している（ステップＳ５０１）。そして、ユーザ端末２において「ダウンロード」のボタンをクリックすると、ユーザ端末２から管理サーバ５へクリックした欄の現場資料のダウンロード要求が送信される。
【００５２】
管理サーバ５では、ユーザ端末２から現場資料のダウンロード要求を受信すると（ステップＳ５０１においてＹＥＳ）、データベース４から該当する現場資料を抽出してユーザ端末２に送信する（ステップＳ５０２）。これにより、ユーザ端末２に現場資料がダウンロードされる。その後、要求された現場資料がダウンロードされた旨を閲覧状況４ｄとしてデータベース４の現場情報４ｂに付加して（ステップＳ５０３）、ダウンロード処理が終了する。
【００５３】
なお、ユーザ端末２の現場閲覧画面において「現場資料」の欄の「印刷」ボタンをクリックすると、図示は省略するが、ダウンロード処理と同様の印刷処理により、管理サーバ５からユーザ端末２へ、現場資料を印刷するための印刷データが送信されて、ユーザ端末２側のプリンタに現場資料が印刷される。その後、現場資料が印刷された旨が閲覧状況４ｄとしてデータベース４の現場情報４ｂに付加される。
【００５４】
次に、現場状況追加手段２０による現場状況追加処理について図９及図１１びを参照して説明する。現場状況追加処理は、ユーザ端末２に現場閲覧画面が送信されると開始され、ユーザ端末２から現場状況４ｅを受信するまで待機している（ステップＳ６０１）。図９に示すように、ユーザ端末２に表示された現場閲覧画面では、「現場写真」の欄において、現場状況４ｅとしての写真データ（画像ファイル）を入力することができる。具体的には、「現場写真」の欄の「ファイルを選択」のボタンをクリックして、ＨＤＤやメモリー等に記憶されている画像ファイルを選択することで、入力することができる。或いは、「ファイルを選択」のボタンの下側の領域に、画像ファイルをドラック＆ドロップすることで、入力することができる。そして、「現場写真」の欄の右下隅の「画像を登録する」のボタンをクリックすると、入力した画像ファイルが現場状況４ｅとして管理サーバ５に送信される。
【００５５】
管理サーバ５では、ユーザ端末２から現場状況４ｅを受信すると（ステップＳ６０１においてＹＥＳ）、データベース４の該当する現場情報４ｂに受信した現場状況４ｅを追加して、現場状況追加処理が終了する。
【００５６】
また、詳細な説明は省略するが、本実施形態の建築現場管理システム１では、ユーザ端末２側から、データベース４に記憶されているユーザ情報４ａ、現場情報４ｂ、及びグループ情報４ｃ、等に含まれている各項目を用いて検索したり、一覧表に抽出したりすることができる。
【００５７】
このように、本実施形態の建築現場管理システム１によると、ユーザがユーザ端末２から管理サーバ５に接続して、建築現場の現場情報４ｂの閲覧要求を送信すると、現場情報４ｂからなる現場閲覧画面がユーザ端末２に表示されるため、当該建築現場に関係するユーザ同士で通信ネットワーク３を介して現場情報４ｂを共有することができる。従って、ユーザ同士が離れていても通信ネットワーク３を介して現場情報４ｂを共有することができるため、従来のようにユーザ同士が集まって確認や打合わせをする回数を低減させることができ、打合わせ等による手間（コスト）を少なくすることができる。
【００５８】
また、ユーザ端末２では、当該ユーザの関係する建築現場の現場情報４ｂのみからなる現場閲覧画面が表示されるため、関係のない建築現場の現場情報４ｂが表示されるこがない。そのため、仕様や設計等を間違え難くいものとなり、工事を正確に行わせることができると共に、工事の間違いを低減させることができ、工事の間違いによるコストの上昇を減らすことができる。
【００５９】
更に、現場情報４ｂの登録や変更を、営業や監督等の特定ユーザのみに限定しているため、現場情報４ｂが管理し易くなる。従って、建築現場が複数あっても、夫々の現場情報４ｂが管理し易いため、複数の現場情報４ｂを容易に管理することができ、管理サーバ５において複数の建築現場を一元管理することができる。
【００６０】
また、通信ネットワーク３を介して簡単に現場情報４ｂを共有することができるため、顧客からの要望等によって仕様や設計が変更された場合でも、その変更内容を現場情報４ｂとすることで関係するユーザが現場閲覧画面で速やかに確認することができ、顧客のニーズに対応し易くすることができる。
【００６１】
また、一般ユーザが、ユーザ端末２から通信ネットワーク３を介して管理サーバ５に接続することで、接続した一般ユーザが関与する現場情報４ｂの閲覧、現場資料のダウンロード又は印刷、及び、現場状況４ｅの登録（アップロード）、等を行うことができ、上述したような作用効果を享受することができるため、本建築現場管理システム１に参加（接続）していない職人等に対して、一般ユーザとして本建築現場管理システム１への参加を促すことができる。
【００６２】
更に、特定ユーザのユーザ端末２には、現場閲覧画面に閲覧状況４ｄが付加された状態で表示されることから、当該建築現場に関係している一般ユーザが、当該建築現場の現場情報４ｂを見たか否かを把握することができる。従って、例えば、仕様や設計の変更に伴って現場情報４ｂの現場資料が変更された後に、変更された現場資料を閲覧していないユーザを発見した場合、そのユーザに対して、変更された現場資料を閲覧するように指示することができ、確実に現場情報４ｂを共有させることができる。
【００６３】
また、例えば、ユーザがその日の作業の終了後に、現場閲覧画面からその日の現場状況４ｅを管理サーバ５に送信して現場情報４ｂに追加することにより、他のユーザが該当する現場情報４ｂの閲覧要求を行って現場閲覧画面を見ることで、その日の現場状況４ｅ（進捗状況）を見る（把握する）ことができ、関係する各ユーザの間で工程の進み具合等を共有することができる。
【００６４】
以上、本発明について好適な実施形態を挙げて説明したが、本発明は上記の実施形態に限定されるものではなく、本発明の要旨を逸脱しない範囲において、種々の改良及び設計の変更が可能である。
【符号の説明】
【００６５】
１  建築現場管理システム
２  ユーザ端末
３  通信ネットワーク
４  データベース
４ａ  ユーザ情報
４ｂ  現場情報
４ｄ  閲覧状況
４ｅ  現場状況
５  管理サーバ
６  受信装置
７  送信装置
８  接続許可手段
１５  現場登録変更許可手段
１６  現場登録変更画面生成手段
１７  現場情報登録手段
１８  閲覧状況付加手段
１９  現場閲覧画面生成手段
２０  現場状況追加手段
【図１】
2015014927.tif 000003
【図２】
2015014927.tif 000004
【図３】
2015014927.tif 000005
【図４】
2015014927.tif 000006
【図５】
2015014927.tif 000007
【図６】
2015014927.tif 000008
【図７】
2015014927.tif 000009
【図８】
2015014927.tif 000010
【図９】
2015014927.tif 000011
【図１０】
2015014927.tif 000012
【図１１】
2015014927.tif 000013